(57)【要約】【課題】本発明の課題は、現場で使用のために自ずとエアを吸い込み、入り、膨らみ、封止栓をすることでエアが抜けずに使用でき、使用時以外は、封止栓を開放して状態で、手動で折りたたむことでエアが抜ける自己膨らみ折り畳み型エアマットを提供することである。【解決手段】本発明の自己膨らみ折り畳み型エアマットは、柔軟性且つエアが漏れない袋体とこれに付設され、前記袋体の内と外を繋ぎ、エアが出入りするエア吸入封止栓と前記袋体の内部に設置され、前記袋体を内側から広げるための復元力を有する袋体膨らみ手段とを有する。【選択図】図１
2015107287.tif 000002
【特許請求の範囲】
【請求項１】
柔軟性且つエアが漏れない袋体とこれに付設され、前記袋体の内と外を繋ぎ、エアが出入りするエア吸入封止栓と前記袋体の内部に設置され、前記袋体を内側から広げるための復元力を有する袋体膨らみ手段とを有し、
前記袋体膨らみ手段は、前記袋体を広げた場合又は、前記袋体を折り畳んだ状態を保持する結束具の結束を開放した場合に、自己の有する前記復元力が前記袋体の形状を維持する力に勝って前記袋体を内側から広げ、前記袋体内にエア封入空間を形成するとともに前記
エア封入空間に開状態にある前記エア吸入封止栓を通じてエアが吸入され前記袋体が膨らみ、その状態で前記エア吸入封止栓を封止状態にすることで、前記袋体の前記エア封入空間は維持され、エア圧によって上に乗って使用するものの重量を支え、
使用しない場合には、エア封入空間から前記エアを押し出すために、
前記エア吸入封止栓を開状態にして、前記袋体膨らみ手段ごと前記袋体を前記復元力を上回る押し圧により折り畳み又は巻き取りを行うことで前記袋体を拉げた状態にすることを可能としたことを特徴とする自己膨らみ折り畳み型エアマット。
【請求項２】
前記袋体膨らみ手段は、前記袋体の面に取り付けられ、その取り付いた部分を回転軸として回転可能であり、前記袋体の面に並行に横たわった状態から立ち上がった状態に復元することを特徴とする請求項１記載の自己膨らみ折り畳み型エアマット。
【請求項３】
前記袋体膨らみ手段は、前記袋体の面の間に設置され、前記面に直角方向に伸縮する復元体であることを特徴とする請求項１記載の自己膨らみ折り畳み型エアマット。
【請求項４】
前記面に直角方向に伸縮する復元体は、復元弾性体で付勢された互いにかみ合った二つの棒体であることを特徴とする請求項３記載の自己膨らみ折り畳み型エアマット。
【請求項５】
前記袋体膨らみ手段は、二つのバーをＸ型にクロスして組み、交差した中心を回転軸として折れるクロス組体であり、前記クロス組体は、前記バーが復元弾性体で付勢されていて、外力による束縛力が無ければ広がりＸの字状になり、外力による束縛力で折り畳みされ、二つのバーは重なった状態になることを特徴とする請求項１記載の自己膨らみ折り畳み型エアマット。
【発明の詳細な説明】
【技術分野】
【０００１】
本発明は、折り畳み可能でエア注入操作又はその装置が不要なエアマットに関するものである。
【背景技術】
【０００２】
従来、一般にエアマットは、エアを注入された状態で使用される。使用前に常時注入状態で提供されるか、使用時に注入して使用するかいずれかになる。
エアが常時注入された状態では、広がった状態なので、携帯するには不便である。携帯するものでは、使用前にエアを注入する形になる。特許文献１には、従来のエアマットの例が示されている。この例では、略円筒状の膨張可能な複数の気筒があり、これには、インフレータによりエアを供給摺るようになっている。このように、エアを注入する手段を有するわけであるが、エアを注入する手段を備えたり、持参するのは厄介である。特に携帯して現場で膨らませるために、エアを注入する手段をもたずに済ませれば携帯が用意になる。
【先行技術文献】
【特許文献】
【０００３】
【特許文献１】特開２００８−１０００２３
【発明の概要】
【発明が解決しようとする課題】
【０００４】
本発明の課題は、現場で使用のために自ずとエアを吸い込み、入り、膨らみ、封止栓をすることでエアが抜けずに使用でき、使用時以外は、封止栓を開放して状態で、手動で折りたたむことでエアが抜ける自己膨らみ折り畳み型エアマットを提供することである。
【課題を解決するための手段】
【０００５】
柔軟性且つエアが漏れない袋体とこれに付設され、前記袋体の内と外を繋ぎ、エアが出入りするエア吸入封止栓と前記袋体の内部に設置され、前記袋体を内側から広げるための復元力を有する袋体膨らみ手段とを有する。                   
以下、請求項に沿って記述する。
【０００６】
請求項１記載の発明は、自己膨らみ折り畳み型エアマットであって、
柔軟性且つエアが漏れない袋体とこれに付設され、前記袋体の内と外を繋ぎ、エアが出入りするエア吸入封止栓と前記袋体の内部に設置され、前記袋体を内側から広げるための復元力を有する袋体膨らみ手段とを有し、
前記袋体膨らみ手段は、前記袋体を広げた場合又は、前記袋体を折り畳んだ状態を保持する結束具の結束を開放した場合に、自己の有する前記復元力が前記袋体の形状を維持する力に勝って前記袋体を内側から広げ、前記袋体内にエア封入空間を形成するとともに前記
エア封入空間に開状態にある前記エア吸入封止栓を通じてエアが吸入され前記袋体が膨らみ、その状態で前記エア吸入封止栓を封止状態にすることで、前記袋体の前記エア封入空間は維持され、エア圧によって上に乗って使用するものの重量を支え、
使用しない場合には、エア封入空間から前記エアを押し出すために、
前記エア吸入封止栓を開状態にして、前記袋体膨らみ手段ごと前記袋体を前記復元力を上回る押し圧により折り畳み又は巻き取りを行うことで前記袋体を拉げた状態にすることを可能としたことを特徴とする。
【０００７】
請求項２記載の発明は、請求項１記載の自己膨らみ折り畳み型エアマットにおいて、
前記袋体膨らみ手段は、前記袋体の面に取り付けられ、その取り付いた部分を回転軸として回転可能であり、前記袋体の面に並行に横たわった状態から立ち上がった状態に復元することを特徴とする。
【０００８】
請求項３記載の発明は、請求項１記載の自己膨らみ折り畳み型エアマットにおいて、
前記袋体膨らみ手段は、前記袋体の面の間に設置され、前記面に直角方向に伸縮する復元体であることを特徴とする。
【０００９】
請求項４記載の発明は、請求項３記載の自己膨らみ折り畳み型エアマットにおいて、
前記面に直角方向に伸縮する復元体は、復元弾性体で付勢された互いにかみ合った二つの棒体であることを特徴とする。
【００１０】
請求項５記載の発明は、請求項１記載の自己膨らみ折り畳み型エアマットにおいて、
前記袋体膨らみ手段は、二つのバーをＸ型にクロスして組み、交差した中心を回転軸として折れるクロス組体であり、前記クロス組体は、前記バーが復元弾性体で付勢されていて、外力による束縛力が無ければ広がりＸの字状になり、外力による束縛力で折り畳みされ、二つのバーは重なった状態になることを特徴とする。
【発明の効果】
【００１１】
以上の様に構成されているので、本発明の自己膨らみ折り畳み型エアマットでは、折り畳みの状態から固定のための結束を外し、広げると、自ずと、広がって、開いた封止栓からエアを吸入し、膨らんだ状態で封止栓を閉じれば、エアの力でエアマットが膨らんだ状態を保持し、使用することができる。
【図面の簡単な説明】
【００１２】
【図１】本発明の自己膨らみ折り畳み型エアマットの一実施態様を示す図である。
【図２】本発明の自己膨らみ折り畳み型エアマットの別の実施態様を示す図である。
【図３】本発明の自己膨らみ折り畳み型エアマットに使用できる袋体膨らみ手段の別の実施態様を示す図である。
【発明を実施するための形態】
【００１３】
本発明による自己膨らみ折り畳み型エアマットは、柔軟性且つエアが漏れない袋体とこれに付設され、前記袋体の内と外を繋ぎ、エアが出入りするエア吸入封止栓と前記袋体の内部に設置され、前記袋体を内側から広げるための復元力を有する袋体膨らみ手段とを有する。以下図に沿って説明する。
【００１４】
図１は、本発明の自己膨らみ折り畳み型エアマットの一実施態様を示す図である。
エアマットは、エアにより膨らむゴム膜や合成樹脂膜、或いはこれらを被覆した布などの柔軟性且つエアが漏れない袋体１１０とこれに付設され、袋体１１０に内と外を繋ぎ、エアが出入りするエア吸入封止栓１２０と袋体１１０の内部に設置され、袋体１１０を内側から広げるための復元力を有する袋体膨らみ手段１００として回転板状体１３０を備えており、袋体１１０を広げて放置すると、回転板状体１３０は、自らの復元力により、回転し１−Ａのように上向きに立ち上がって、その結果、袋体１１０の上面である袋体上面１３１が、下面である袋体下面１３２に対して持ち上って、袋体１１０内にエア封入空間１３３が発生するようになる。この場合に、エア吸入封止栓１２０が閉じていれば、エア封入空間１３３は形成されないが、エア吸入封止栓１２０が開いた状態では、ここからエアを吸引してエア封入空間１３３に入り込みエアで満たされる。エアが一杯入った状態が１−Ａの状態である。従って、回転板状体１３０の復元力が袋体１１０を広げるほど大きければよい。このような状態で、エア吸入封止栓１２０を閉じれば、エアは抜けないので、エアマット１００の上に乗っても凹んでしまうことが無く使用できる。
尚、回転板状体１３０は、断面で示した１−Ｄのようになっていて、バネ他の復元力を持って回転軸１３４の周りに回転し、立ち上がるようになっている。
【００１５】
次に、折り畳む場合を説明する。１−Ｂにおいて、エア吸入封止栓１２０を先ず開いた状態にして、回転板状体１３０と袋体１１０を押して、回転板状体１３０を横に倒す。回転板状体１３０を倒すと、袋体１１０は潰されてエア封入空間１３３が無くなりエアはエア吸入封止栓１２０から出てゆく。１−Ｃは、全部の回転板状体１３０が倒れた状態である。
なお、１−Ｃのようでなく、エア吸入封止栓１２０から離れた方の端の回転板状体１３０から順次倒して、袋体１１０を巻いてゆくのが現実的であり、その結果、折り畳んだ状態が１−Ｆにようになる。交互に折り畳んだ状態が１−Ｅのようであり、いずれの場合も、折り畳んだら、広がらないように結束具１４０で結ぶと良い。尚、折り畳んだ状態で、エア吸入封止栓１２０を閉じてもエアが入らないので、膨らむことはない。尚、結束具は、紐に限らないで、折り畳んだ状態を保持できるもので有ればよい。
【００１６】
図２は、本発明の自己膨らみ折り畳み型エアマットの別の実施態様を示す図である。
この例では、袋体膨らみ手段が回転板状体１３０ではない。２−Ａでは、袋体１１０を上下に押して膨らますために袋体膨らみ手段が複数個の復元性の伸縮体２１０になっている。
伸縮体２１０は、二つの互いに噛み合って伸縮する棒体２１１Ａ、２１１Ｂがこの間に介挿されたバネや、スポンジ等の復元体により押されてなければ伸びるものである。勿論押せば縮むものである。その他は、使い方も含め図１と同じである。伸縮体２１０のない部分で巻いたり、折り畳むことができる。
２−Ｂでは、袋体膨らみ手段が、二つのバー２２０をＸ型にクロスして組み、交差した中心軸２３０の周りに回転して折れるクロス組体２４０のようになっている。クロス組体２４０は、束縛が無ければ広がりＸの字状になり、束縛力で折り畳みと、二つのバーは重なった状態になる。折り畳んだ状態を横からみて断面状態で示したのが、２−Ｃである。
尚、袋体１１０及びエア吸入封止栓１２０も示されている。
【００１７】
尚、回転板状体１３０、棒体２１１Ａ、２１１Ｂ、クロス組体２４０は、袋体１１０を動かすときに広げる力があればよく、使用時の人体の重量を支える堅牢性が必ずしも必要な訳ではない。使用時に人体の重量を支えるのは、封止されたエアが支えるからである。
【００１８】
図３は、本発明の自己膨らみ折り畳み型エアマットに使用できる袋体膨らみ手段の別の実施態様を示す図である。３−Ａでは、上下の袋体１１０の間にスポンジなどの復元性の弾性体による袋体膨らみ手段１００を横断面で示している。この膨らんだ状態から押し圧した折り畳みの様態が３−Ｂに示される。袋体膨らみ手段１００は、押し圧により拉がれた状態になっている。３−Ｃでは、袋体膨らみ手段１００はバネになっている。勿論、コイルバネ以外に板バネも使用できる。３−Ｄでは、これが拉がれた状態になっている。
【産業上の利用可能性】
【００１９】
以上のように本発明による自己膨らみ折り畳み型エアマットは、エアの注入手段を他に携帯する必要がなく、エア吸入封止栓１２０を開いた状態で、袋体１１０を広げれば、袋体膨らみ手段１００によって、エアが吸入され、エア吸入封止栓１２０を閉じれば、使用できるので、エア吸入操作も不要であり、産業上利用して極めて好都合である。
【符号の説明】
【００２０】
１００  袋体膨らみ手段
１１０  袋体
１２０  エア吸入封止栓
１３０  回転板状体
１３１  袋体上面
１３２  袋体下面
１３３  エア封入空間
１３４  回転軸
１４０  結束具
２１０  伸縮体
２１１Ａ、２１１Ｂ  棒体
２２０  バー
２３０  中心軸
２４０  クロス組体
【図１】
2015107287.tif 000003
【図２】
2015107287.tif 000004
【図３】
2015107287.tif 000005